Podtech/llm-jp-corpus-v4-ja_patent huggingface dataset:
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
非オンデマンド映像を巻き戻すための方法であって、
前記映像の伝送開始後に、前記映像にアクセスすることと、
前記映像が最初にアクセスされる前に伝送された映像を含む逆方向ストリームを受信することであって、前記逆方向ストリームは、前記映像が最初にアクセスされた時点から前記映像の先頭に向かって逆方向に、前記映像をストリーム配信する、ことと、
逆方向バッファ内の前記逆方向ストリームをキャッシュすることと、
前記逆方向バッファを介して前記映像を巻き戻すことと、
前記逆方向バッファから前記映像を再生することと
を含む、方法。
【請求項２】
前記逆方向ストリームを受信することは、遠隔サーバから前記逆方向ストリームを受信することをさらに含む、請求項１に記載の方法。
【請求項３】
前記遠隔サーバが、前記逆方向ストリームに必要な前記映像をキャッシュしたかどうかを判断することと、
前記遠隔サーバが、前記逆方向ストリームに必要な前記映像をキャッシュしたという判断に応じて、前記逆方向ストリームを要求することと
をさらに含む、請求項２に記載の方法。
【請求項４】
ユーザが十分な関心を有し、前記映像の逆方向ストリームを要求する保証があるかどうかを判断することと、
ユーザが十分な関心を有し、前記映像の逆方向ストリームを要求する保証があるという判断に応じて、逆方向ストリームを要求することと
をさらに含む、請求項１に記載の方法。
【請求項５】
ユーザが十分な関心を有していることを判断することは、所与の時間の間に前記ユーザが前記映像を視聴したと判断することと、特殊再生要求を受信することとのうちの１つをさらに含む、請求項４に記載の方法。
【請求項６】
非オンデマンド映像を巻き戻すためのシステムであって、前記システムは、ディスプレイ装置と、記録装置と、制御回路と、を含み、前記制御回路は、
前記映像の伝送開始後に、前記映像にアクセスすることと、
前記映像が最初にアクセスされた前に伝送された映像を含む逆方向ストリームを受信することであって、前記逆方向ストリームは、前記映像が最初にアクセスされた時点から前記映像の先頭に向かって逆方向に、前記映像をストリーム配信する、ことと、
前記記録装置に、逆方向バッファ内の前記逆方向ストリームをキャッシュさせることと、
前記逆方向バッファから前記映像を巻き戻すことと、
前記ディスプレイ装置に、前記映像が最初にアクセスされた前の時点から前記映像を表示させることと
を行うように構成されている、システム。
【請求項７】
前記制御回路は、遠隔サーバから前記逆方向ストリームを受信するようにさらに構成されている、請求項６に記載のシステム。
【請求項８】
前記制御回路は、
前記遠隔サーバが、前記逆方向ストリームに必要な前記映像をキャッシュしたかどうかを判断することと、
前記遠隔サーバが、前記逆方向ストリームに必要な前記映像をキャッシュしたという判断に応じて、前記逆方向ストリームを要求することと
を行うようにさらに構成されている、請求項７に記載のシステム。
【請求項９】
前記制御回路は、
前記ユーザが十分な関心を有し、前記映像の逆方向ストリームを要求する保証があるかどうかを判断することと、
前記ユーザが十分な関心を有し、逆方向ストリームを要求する保証があるという判断に応じて、逆方向ストリームを要求することと
を行うようにさらに構成されている、請求項６に記載のシステム。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
患者の脈管構造によって該患者の治療部位に人工器具を送達するための機器であって、
近位端および遠位端を有するカテーテルであって、該カテーテルの該遠位端は人工器具を担持するように構成され、該人工器具は、長手方向軸と、治療部位に送達するための完全に収縮された状態と、該治療部位に配置するための拡張された状態とを有するカテーテルと、
該カテーテルの該遠位端に関連付けられる１つ以上のテザーであって、該１つ以上のテザーは、該人工器具を軸方向に係合し、かつ選択的に拘束するように構成されるテザーと
を備える、機器。
【請求項２】
前記テザーは、前記完全に収縮された状態とは異なる部分的に収縮された状態において、前記人工器具を選択的に拘束するように構成される、請求項１に記載の機器。
【請求項３】
前記テザーは、前記人工器具をその拡張された状態に選択的に拘束するように構成される、請求項１に記載の機器。
【請求項４】
前記カテーテルの前記遠位端に担持され、かつ前記人工器具を実質的に包囲する管状部材をさらに備え、該管状部材には複数のスロットが設けられ、該人工器具が前記完全に収縮された状態とは異なる部分的に収縮された状態にある場合に、該人工器具の一部は、該複数のスロットのうちの少なくとも１つを選択的に貫通する、請求項１に記載の機器。
【請求項５】
前記人工器具に対する前記管状部材の回転により、該人工器具の一部が、前記複数のスロットのうちの少なくとも１つを貫通するようになる、請求項４に記載の機器。
【請求項６】
前記カテーテルの前記近位端に位置する制御部材をさらに備え、該制御部材は、前記人工器具に対して前記管状部材を回転させるように構成され、該人工器具に対して近位方向に該管状部材を引き込むように構成され、その結果、該管状部材は該人工器具を実質的に包囲しない、請求項５に記載の機器。
【請求項７】
複数の巻き付けピンを担持するハブをさらに備え、該複数の巻き付けピンは、該ハブから遠位に延出し、かつ前記管状部材によって実質的に包囲され、前記人工器具は、該人工器具がその完全に収縮された状態およびその部分的に収縮された状態にある場合に、該巻き付けピンに担持される、請求項４に記載の機器。
【請求項８】
前記人工器具は、前記管状部材と、前記複数の巻き付けピンを担持するハブとの相対的回転によって、その完全に収縮された状態からその部分的に収縮された状態に変換される、請求項７に記載の機器。
【請求項９】
前記カテーテルの前記近位端に位置する制御部材をさらに備え、該制御部材は、前記人工器具に対して前記管状部材を回転させるように構成される、請求項７に記載の機器。
【請求項１０】
前記制御部材は、前記人工器具に対して近位方向に前記管状部材を引き込むように構成され、その結果、該管状部材は該人工器具をもはや実質的に包囲せず、さらに、該制御部材は該人工器具に対して近位方向に前記複数の巻き付けピンを独立して引き込むように構成され、その結果、該人工器具が該巻き付けピン上で担持されない、請求項９に記載の機器。
【請求項１１】
前記人工器具は、部分的に収縮された状態を形成するように反転する区分を有する多区分支持部材を備える、請求項１、２、３、４、５、６、７、８、９または１０に記載の機器。
【請求項１２】
前記人工器具は、３つのパネル付きで３つのヒンジ付きの支持部材を備え、前記部分的に収縮された状態は、３頂点星型形状を備える、請求項１、２、３、４、５、６、７、８、９または１０に記載の機器。
【請求項１３】
前記人工器具が前記カテーテルから係合解除された後に、該人工器具をその完全に拡張された状態に変換するように構成される配置部材をさらに備える、請求項１に記載の機器。
【請求項１４】
前記配置部材は、前記カテーテルの軸部分を動作可能に係合するように構成される第１の可動部材と、該軸部分に沿って該可動部材を動かすことによって、半径方向に選択的に拡張可能である半径方向拡張可能部材とを備える、請求項１３に記載の機器。
【請求項１５】
前記配置部材は、前記人工器具の内部に選択的に位置する膨張可能部材を備え、その結果、該膨張可能部材の膨張により、該人工器具がその完全に拡張された状態に移行する、請求項１３に記載の機器。
【請求項１６】
前記配置部材は、前記人工器具の外部に選択的に取り付けられる膨張可能部材を備え、その結果、該膨張可能部材の膨張により、該人工器具がその完全に拡張された状態に移行する、請求項１３に記載の機器。
【請求項１７】
前記配置部材は、前記人工器具の内面を係合するローラと、該人工器具の外面を係合するピンチャを備える、請求項１３に記載の機器。
【請求項１８】
前記配置部材は、前記人工器具の内面を係合するセパレータと、前記人工器具の外面を係合するガイド部材とを含む、請求項１３に記載の機器。
【請求項１９】
前記配置部材は、前記人工器具に形成されるヒンジに取り付けられるねじれバネを備える、請求項１３に記載の機器。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
麻酔剤の容器に据え付け可能であり、かつ、麻酔噴霧器の入口ポートによって受け取られるように構成されたアダプタであって、該噴霧器は、開位置と閉位置との間で動くことができる可動噴霧器バルブアセンブリを含み、該アダプタは、
基部と、
該基部から上方に延びている概ね管状の噴出口と、
取り付けられたバルブプラグを有する可動アダプタバルブアセンブリであって、該可動アダプタバルブアセンブリは、該アダプタバルブが開位置または閉位置のいずれかにある場合には、該噴出口の上部端の上に延びる延長部分をさらに含む、可動アダプタバルブアセンブリと、
噴霧器バルブアセンブリ接触部材であって、該噴霧器バルブアセンブリ接触部材は、該噴出口に対して固定しており、かつ、該アダプタが噴霧器の入口ポートに挿入されたときには、該可動噴霧器バルブアセンブリに接触して動かすように位置を定められ、該噴出口が該入口ポートに挿入されたときには、該アダプタバルブアセンブリが、該入口ポートの固定部分との接触によって動かされる、噴霧器バルブアセンブリの接触部材と
を備えている、アダプタ。
【請求項２】
前記噴出口が前記入口ポートに挿入されたときには、該入口ポートの前記固定部分が前記アダプタバルブアセンブリに接触する前に、前記接触部材は、前記噴霧器バルブアセンブリに接触する、請求項１に記載のアダプタ。
【請求項３】
前記噴霧器バルブアセンブリが閉じられているときの、該噴霧器バルブアセンブリの接触端と前記入口ポートの前記固定部分との間の軸方向の距離は、前記アダプタバルブアセンブリが閉位置にあるときの、該アダプタバルブアセンブリの接触端と前記接触部材の接触端との間の軸方向の距離よりも大きい、請求項１に記載のアダプタ。
【請求項４】
前記入口ポートは溝を含み、前記アダプタはスプラインを含み、前記噴霧器バルブアセンブリが前記接触部材によって接触される前に、該溝は該スプラインを受け取らなければならない、請求項１に記載のアダプタ。
【請求項５】
前記接触部材は、前記噴出口に取り付けられている、請求項１に記載のアダプタ。
【請求項６】
前記接触部材は、複数の交差ビームから構成される、請求項５に記載のアダプタ。
【請求項７】
前記ビームのそれぞれは、前記噴出口の直径である、請求項６に記載のアダプタ。
【請求項８】
前記接触部材は、前記噴出口の概ね中央に位置を定められている接触端を含む、請求項５に記載のアダプタ。
【請求項９】
前記接触部材は、前記噴出口の内側の少なくとも一部分を複数の開口部に分割する、請求項５に記載のアダプタ。
【請求項１０】
前記アダプタバルブアセンブリは、前記噴出口が前記入口ポートに挿入されたときには、該入口ポートの前記固定部分に接触するように構成された複数の細長い部材を含み、各部材は、前記開口部を通って延びている、請求項９に記載のアダプタ。
【請求項１１】
前記各開口部は、前記噴出口の中に四半分を画定する、請求項９に記載のアダプタ。
【請求項１２】
麻酔剤の容器に据え付け可能であり、かつ、可動噴霧器バルブアセンブリを含む麻酔噴霧器の入口ポートによって受け取られるように構成されたアダプタであって、該アダプタは、
麻酔剤の容器と係合可能な基部と、
概ね管状の噴出口であって、該概ね管状の噴出口は、該基部から上方に延び、かつ、該噴出口の内側部分に固定し取り付けられ、該噴出口の中央の中に延びている接触部材と、該接触部材の接触端より上に位置を定められている該噴出口の上端と、該接触部材より下に位置を定められているアダプタ弁座とを含む、概ね管状の噴出口と、
可動アダプタバルブアセンブリであって、該可動アダプタバルブアセンブリは、該噴出口の該内側部分において受け取られ、かつ、該アダプタ弁座に向けて付勢されるプラグと、該プラグに動作可能に接続され、該噴出口の該上端の上に延びている細長い部材とを含む、可動アダプタバルブアセンブリと
を備え、
該アダプタが該噴霧器の入口ポートに挿入されたときには、該接触部材は、該可動噴霧器バルブアセンブリに接触して動かすように位置を定められており、該噴出口が該入口ポートに挿入されたときには、該プラグは、該細長い部材の接触端と該入口ポートの固定部分との間の接触によって、該アダプタ弁座から離れるように動かされる、アダプタ。
【請求項１３】
前記噴出口の外面に取り付けられたスプラインをさらに備えている、請求項１２に記載のアダプタ。
【請求項１４】
前記噴出口が前記入口ポートに挿入されたときには、該入口ポートの前記固定部分が前記細長い部材の前記接触端に接触する前に、前記接触部材の該接触端が前記噴霧器バルブアセンブリに接触するように、前記アダプタは寸法を決められる、請求項１２に記載のアダプタ。
【請求項１５】
前記プラグは、バネによって前記アダプタ弁座に向けて付勢される、請求項１２に記載のアダプタ。
【請求項１６】
前記接触部材は、複数の交差ビームから構成される、請求項１２に記載のアダプタ。
【請求項１７】
前記ビームのそれぞれは、前記噴出口の直径である、請求項１６に記載のアダプタ。
【請求項１８】
前記接触部材は、噴出口の概ね中央に位置を定められた接触端を含む、請求項１２に記載のアダプタ。
【請求項１９】
麻酔剤の容器から麻酔噴霧器に麻酔剤を移送する方法であって、該方法は、
該麻酔剤容器上にアダプタを提供することであって、該アダプタは、基部と、該基部から上方に延びている概ね管状の噴出口と、取り付けられたバルブプラグを有する可動アダプタバルブアセンブリであって、該可動アダプタバルブアセンブリは、該アダプタバルブが開位置または閉位置のいずれかにある場合には、該噴出口の上部端の上に延びる延長部分をさらに含む、可動アダプタバルブアセンブリと、実質的に固定の接触部材とを含む、ことと、
該固定の接触部材が、該麻酔噴霧器の可動噴霧器バルブアセンブリに接触し、該可動噴霧器バルブアセンブリを動かすまで、該麻酔噴霧器の入口ポートに該噴出口を挿入することと、
該入口ポートの固定部分が該アダプタバルブアセンブリに接触し、該アダプタバルブアセンブリを動かし、麻酔剤が、該麻酔剤容器から該麻酔噴霧器に麻酔剤が流れることを可能にするまで、該入口ポートの中に該噴霧器をさらに挿入することと
を包含する、方法。
【請求項２０】
前記噴出口は、スプラインを含み、前記挿入することは、前記入口ポートと関連付けられた溝と該スプラインを位置を合わせることを含む、請求項１９に記載の方法。
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
第二のポリペプチドに作動可能に連結された第一のポリペプチドを含む融合ポリペプチドであって、該第一のポリペプチドは：
ａ）  Ｓｉａα３Ｇａｌβ４ＧｌｃＮＡｃβグリカン、
ｂ）  Ｓｉａα３Ｇａｌβ３ＧｌｃＮＡｃβグリカン、
ｃ）  Ｓｉａα６Ｇａｌβ４ＧｌｃＮＡｃβグリカン、
ｄ）  Ｓｉａα６Ｇａｌβ３ＧｌｃＮＡｃβグリカン、
ｅ）  Ｆｕｃα２Ｇａｌβ３ＧａｌＮＡｃαグリカン
ｆ）  Ｆｕｃα２Ｇａｌβ３ＧｌｃＮＡｃβグリカンおよび
ｇ）  Ｆｕｃα２Ｇａｌβ４ＧｌｃＮＡｃβグリカン、
からなる群より選択される少なくとも一つのグリカンをもち、
そして該第二のポリペプチドは、免疫グロブリンポリペプチドの少なくとも一領域を含む、融合ポリペプチド。
【請求項２】
請求項１に記載の融合ポリペプチドであって、前記第一のポリペプチドが、ムチンポリペプチドである、融合ポリペプチド。
【請求項３】
請求項１に記載の融合ポリペプチドであって、前記グリカンが、末端にある、融合ポリペプチド。
【請求項４】
請求項１に記載の融合ポリペプチドであって、前記グリカンが、多価性である、融合ポリペプチド。
【請求項５】
請求項２に記載の融合ポリペプチドであって、前記ムチンが、ＰＳＧＬ−１、ＭＵＣ１、ＭＵＣ２、ＭＵＣ３、ＭＵＣ４、ＭＵＣ５ａ、ＭＵＣ５ｂ、ＭＵＣ５ｃ、ＭＵＣ６、ＭＵＣ１１、ＭＵＣ１２、ＣＤ３４、ＣＤ４３、ＣＤ４５、ＣＤ９６、ＧｌｙＣＡＭ−１、ＭＡｄＣＡＭ、またはそれらの断片からなる群より選択される、融合ポリペプチド。
【請求項６】
請求項２に記載の融合ポリペプチドであって、前記ムチンポリペプチドが、Ｐ−セレクチン糖タンパクリガンド−１の少なくとも一領域を含む、融合ポリペプチド。
【請求項７】
請求項２に記載の融合ポリペプチドであって、前記ムチンポリペプチドが、Ｐ−セレクチン糖タンパクリガンド−１の細胞外部分を含む、融合ポリペプチド。
【請求項８】
請求項１に記載の融合ポリペプチドであって、前記第一のポリペプチドが、α糖タンパクポリペプチドである、融合ポリペプチド。
【請求項９】
請求項１に記載の融合ポリペプチドであって、前記第一のポリペプチドが、α−１−酸性糖タンパクの少なくとも一領域を含む、融合ポリペプチド。
【請求項１０】
請求項１に記載の融合ポリペプチドであって、前記第二のポリペプチドが、免疫グロブリンポリペプチドの重鎖の一領域を含む、融合ポリペプチド。
【請求項１１】
請求項１に記載の融合ポリペプチドであって、前記第二のポリペプチドが、免疫グロブリン重鎖のＦｃ領域を含む、融合ポリペプチド。
【請求項１２】
細胞へのウイルスの接着を減少させるための組成物であって、請求項１に記載の融合ポリペプチドを含む、組成物。
【請求項１３】
ウイルス感染の予防またはウイルス感染の症状の軽減を必要とする被験体におけるウイルス感染を予防またはウイルス感染の症状を軽減するための組成物であって、請求項１に記載の融合ポリペプチドを含む、組成物。
【請求項１４】
請求項１２または請求項１３に記載の組成物であって、前記ウイルスが、眼親和性ウイルス、ヒトインフルエンザウイルス、トリインフルエンザウイルス、ヒトインフルエンザウイルスおよびトリインフルエンザウイルスの組み換えウイルス、またはノロウイルスである、組成物。
【請求項１５】
請求項１４に記載の組成物であって、前記眼親和性ウイルスが、アデノウイルス３７、エンテロウイルス７０またはトリインフルエンザウイルスである、組成物。
【請求項１６】
請求項１に記載の融合ポリペプチドを産生するように、遺伝子操作された、細胞。
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
メシレート、エシレート、エジシル酸塩、リン酸塩、フマル酸塩又はマレイン酸塩である、式(Ｉ)
【化１】
2009528344.tif 000001
の化合物の薬学的に許容しうる塩。
【請求項２】
2−ヒドロキシ−3−[5−(モルホリン−4−イルメチル)ピリジン−2−イル]1H−インドール−5−カルボニトリル メシレートである、請求項１に記載の薬学的に許容しうる塩。
【請求項３】
Ｘ線粉末回折により12.7(vs)、6.4(s)、4.53(m)、4.09(s)及び3.33(s)Åのｄ値及び相対強度を特徴とする、請求項２に記載の塩。
【請求項４】
実質的に結晶形態である、請求項１〜３のいずれか１項に記載の塩。
【請求項５】
2−ヒドロキシ−3−[5−(モルホリン−4−イルメチル)ピリジン−2−イル]1H−インドール−5−カルボニトリル エシレートである、請求項１に記載の薬学的に許容しうる塩。
【請求項６】
Ｘ線粉末回折により12.6(s)、6.3(m)、4.47(m)、4.16(s)、4.12(s)、及び3.41(s)Åのd値及び相対強度を特徴とする、請求項５に記載の塩。
【請求項７】
実質的に結晶形態である、請求項１、５、６のいずれか１項に記載の塩。
【請求項８】
2−ヒドロキシ−3−[5−(モルホリン−4−イルメチル)ピリジン−2−イル]1H−インドール−5−カルボニトリル エジシル酸塩である、請求項１に記載の薬学的に許容しうる塩。
【請求項９】
Ｘ線粉末回折により15.3(s)、11.3(m)、5.6(s)、4.32(s)、4.12(s)及び4.08(s)Åのｄ値及び相対強度を特徴とする、請求項８に記載の塩。
【請求項１０】
実質的に結晶形態である、請求項１、８、９のいずれか１項に記載の塩。
【請求項１１】
2−ヒドロキシ−3−[5−(モルホリン−4−イルメチル)ピリジン−2−イル]1H−インドール−5−カルボニトリル リン酸塩である、請求項１に記載の薬学的に許容しうる塩。
【請求項１２】
Ｘ線粉末回折により15.2(m)、7.6(w)、5.1(w)及び4.12(vw)Åのｄ値及び相対強度を特徴とする、請求項１１に記載の塩。
【請求項１３】
実質的に結晶形態である、請求項１、１１、１２のいずれか１項に記載の塩。
【請求項１４】
2−ヒドロキシ−3−[5−(モルホリン−4−イルメチル)ピリジン−2−イル]1H−インドール−5−カルボニトリル フマル酸塩である、請求項１に記載の薬学的に許容しうる塩。
【請求項１５】
Ｘ線粉末回折により16.5(m)、13.1(m)、12.7(m)、6.8(m)及び3.26(s)Åのｄ値及び相対強度を特徴とする、請求項１４に記載の塩。
【請求項１６】
実質的に結晶形態である、請求項１、１４、１５のいずれか１項に記載の塩。
【請求項１７】
2−ヒドロキシ−3−[5−(モルホリン−4−イルメチル)ピリジン−2−イル]1H−インドール−5−カルボニトリル マレイン酸塩である、請求項１に記載の薬学的に許容しうる塩。
【請求項１８】
Ｘ線粉末回折により12.7(s)、6.8(s)、6.1(m)、4.58(s)及び3.05(m)Åのｄ値及び相対強度を特徴とする、請求項１７に記載の塩。
【請求項１９】
実質的に結晶形態である、請求項１、１７、１８のいずれか１項に記載の塩。
【請求項２０】
活性成分として治療有効量の請求項１〜１９のいずれか１項に記載の塩を、場合により希釈剤、賦形剤又は不活性担体と共に含む、医薬製剤。
【請求項２１】
治療における使用のための、請求項１〜１９のいずれか１項に規定される塩。
【請求項２２】
認知障害、痴呆、統合失調症における認知的欠陥(CDS)、軽度認知機能障害(MCI)、加齢に伴う記憶障害(AAMI)、加齢性認知機能低下(ARCD)又は痴呆のない認知機能障害(CIND)、前頭側頭型痴呆(FTD)、前頭側頭型痴呆パーキンソン型(FTDP)、進行性核上性麻痺(PSP)、ピック病、ニーマン−ピック病、皮質基底核変性、外傷性脳損傷(TBI)又はボクサー痴呆、アルツハイマー病(AD)、ダウン症候群、血管性痴呆、パーキンソン病(PD)、脳炎後パーキンソン症候群、レヴィー体を伴う痴呆、HIV痴呆、ハンティングトン病、筋萎縮性側索硬化症(ALS)、運動ニューロン疾患(MND)、クロイツフェルト・ヤコブ病又はプリオン病、注意欠陥障害(ADD)、注意欠陥過活動性障害(ADHD)又は情動障害、躁的興奮、双極性うつ
病、双極性維持を含む双極性障害、抑うつ、大うつ病、気分安定を含む大うつ病性障害(MDD)、統合失調症を含む統合失調性感情障害、又は気分変調の予防及び／又は処置における、請求項１〜１９のいずれか１項に規定される塩の使用。
【請求項２３】
疾患がアルツハイマー病である、請求項２２に記載の使用。
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
座瘡細菌を含む組織を、約300nm〜約1400nmの波長で発光する少なくとも1つの光源に曝露する工程、
約20mWまたはそれ未満の電力出力で少なくとも1つの光源を動作させる工程、および
組織上または組織中に存在する座瘡細菌の減少を観察する工程
を含む方法における、前記少なくとも1つの光源の使用。
【請求項２】
座瘡細菌が、皮脂腺性の油腺、皮脂管、セボサイト（sebocyte）、それらの支持組織、およびそれらの組み合わせからなる群より選択される組織中または組織上に存在する、請求項1記載の使用。
【請求項３】
光源が狭帯域の多色電磁放射線である、請求項1記載の使用。
【請求項４】
狭帯域の多色電磁放射線が約390nm〜約1400nmの主放射波長を有する、請求項3記載の使用。
【請求項５】
主放射波長が、400nm、420nm、430nm、445nm、475nm、590nm、635nm、655nm、660nm、670nm、780nm、785nm、810nm、830nm、840nm、860nm、904nm、915nm、980nm、1015nm、1060nm、1260nm、および1400nmからなる群より選択される、請求項4記載の使用。
【請求項６】
座瘡細菌を含むかまたは取り囲む組織に光調節促進剤を適用する工程を含む、請求項1記載の使用。
【請求項７】
光調節促進剤が、ビタミンC、ビタミンE、ビタミンA、ビタミンK、ビタミンF、レチンA（トレチノイン）、アダパレン、レチノール、ヒドロキノン、コウジ酸、成長因子、エキネシア、抗生物質、抗真菌剤、抗ウイルス薬、漂白剤、αヒドロキシ酸、βヒドロキシ酸、サリチル酸、抗酸化物トライアド化合物、海草派生物、海水派生物、酸化防止剤、フィトアントシアニン、エピガロカテキン-3-ガナート、植物栄養素、植物生成物、草本生成物、ホルモン、酵素、鉱物、遺伝子組換え物質、補因子、触媒、老化防止物質、インスリン、微量元素（カルシウムイオン、マグネシウムなどを含む）、鉱物、ロゲイン、育毛刺激物質、育毛抑制物質、色素、天然または合成メラニン、金属プロテアーゼ阻害剤、プロリン、ヒドロキシプロリン、麻酔物質、クロロフィル、銅クロロフィリン、葉緑体、カロチノイド、バクテリオクロロフィル、フィコビリン、カロチン、キサントフィル、アントシアニン、ならびに上記の誘導体、小成分、および類似物、天然物質および合成物質の両方、ならびにそれらの混合物の少なくとも1つからなる群より選択される活性物質を有する組成物を含む、請求項6記載の使用。
【請求項８】
光調節促進剤を電磁放射線源に曝露する前に、光調節促進剤を浸透促進処置に供する工程をさらに含む、請求項1記載の使用。
【請求項９】
浸透促進処置が、酵素剥離、マイクロダームアブレーション、溶剤ストリッピング、テープストリッピング、スクラブ洗浄（scrubbing）、レーザー焼灼、レーザー蒸発、化学薬品剥離、電気刺激、高いピーク電力および短いパルス幅を使用するレーザー療法、超音波、またはそれらの組み合わせからなる群より選択される処置を含む、請求項8記載の使用。
【請求項１０】
狭帯域の多色電磁放射線源が発光ダイオードである、請求項3記載の使用。
【請求項１１】
発光ダイオードのエネルギー出力が約0.5mW〜約20mWである、請求項10記載の使用。
【請求項１２】
発光ダイオードのエネルギー出力が約4mWである、請求項11記載の使用。
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
患者に加圧された気体を送達するための装置であって、
治療圧にて患者の気道に下級可能な気体を供給する制御可能な持続陽圧呼吸（ＣＰＡＰ）デバイスと、
コントローラと
を備え、
前記コントローラは、
呼吸気流の測定値を決定し、
長期換気量と短期換気量に基づく閾値の比較から、無呼吸／低呼吸の発生を決定し、その場合、前記長期換気量の決定は、無呼吸／低呼吸イベントの間は更新されず、前記短期換気量の閾値を上回る超過がある場合、前記無呼吸／低呼吸イベントは終了したとみなすようにし、
無呼吸／低呼吸状態の発生中は治療圧を上昇する
ようにプログラムされている、装置。
【請求項２】
前記コントローラは、前記治療圧を、無呼吸／低呼吸状態ではない時に、一定量降下させるようにプログラムされている、請求項１に記載の装置。
【請求項３】
前記コントローラは、引き続き前記治療圧を維持するようにプログラムされている、請求項２に記載の装置。
【請求項４】
短時間間隔で平均呼吸気流を計算すること、長時間間隔で前記平均呼吸気流を計算すること、および前記短時間間隔での前記平均呼吸気流が、前記長時間間隔での前記平均呼吸気流の所定の割合未満である場合に無呼吸を宣言することにより、無呼吸の発生が決定されるが、前記無呼吸が終了するまで前記長時間間隔での前記計算は中断することを条件とする、請求項１に記載の装置。
【請求項５】
前記所定の割合は約１／４である、請求項４に記載の装置。
【請求項６】
前記平均長期換気量もしくは前記平均短期換気量のどちらか、またはその両方が、無限インパルス応答（ＩＩＲ）フィルタを用いて計算される、請求項４に記載の装置。
【請求項７】
短時間間隔で平均呼吸気流を計算すること、長時間間隔で前記平均呼吸気流を計算すること、および前記短時間間隔での前記平均呼吸気流が、前記長時間間隔での前記平均呼吸気流の所定の割合以下である場合に低呼吸を宣言することにより、低呼吸の発生が決定されが、前記低呼吸が終了するまで前記長時間間隔での前記計算は中断することを条件とする、請求項１に記載の装置。
【請求項８】
前記所定の割合は約１／２である、請求項６に記載の装置。
【請求項９】
前記平均長期換気量もしくは前記平均短期換気量のどちらか、またはその両方が、無限インパルス応答（ＩＩＲ）フィルタを用いて計算される、請求項７に記載の装置。
【請求項１０】
呼吸気流の測定値がフローセンサを用いて決定される、請求項１に記載の装置。
【請求項１１】
持続陽圧呼吸（ＣＰＡＰ）治療装置であって、
大気圧を上回るよう上昇させた圧力で呼吸可能な気体を産生するように動作することができる、制御可能な気道陽圧デバイスと、
前記気道陽圧デバイスに連結する気体送達チューブと、
前記気道陽圧デバイスから前記呼吸可能な気体を受け取り、前記気体を望ましい治療圧で患者の気道に提供するために前記チューブに連結する患者マスクと、
前記気道陽圧デバイスの動作、ひいては前記治療圧を制御するためのコントローラと、
を備え、
前記コントローラは、短時間間隔で平均呼吸気流を計算すること、長時間間隔で前記平均呼吸気流を計算すること、および前記短時間間隔での前記平均呼吸気流が、前記長時間間隔での前記平均呼吸気流の所定の割合未満である場合に無呼吸を宣言することにより、無呼吸の発生を決定するようにさらに動作可能であるが、前記無呼吸が終了するまで前記
長時間間隔での前記計算は中断することを条件とする、持続陽圧呼吸治療装置。
【請求項１２】
前記コントローラは、患者の呼吸気流を感知すべく、かつ、患者の呼吸気流が決定される、前記コントローラに入力される信号を生成すべく配置されたセンサからの入力信号を受信するように動作可能である、請求項１１に記載の持続陽圧呼吸治療装置。
【請求項１３】
前記コントローラは、長期換気量と短期換気量に基づく閾値の比較から、無呼吸の発生を決定するように動作可能であり、長期換気量の前記決定は無呼吸／低呼吸イベントの間は更新されず、前記短期換気量の閾値を上回る超過がある場合、無呼吸／低呼吸イベントは終了したとみなす、請求項１１または１２に記載の持続陽圧呼吸治療装置。
【請求項１４】
前記コントローラは、前記治療圧を無呼吸／低呼吸状態の時に、一定量だけ上昇させるように動作可能である、請求項１１〜１３のいずれか一項に記載の持続陽圧呼吸治療装置。
【請求項１５】
前記コントローラは、前記治療圧を無呼吸／低呼吸状態ではない時に、一定量だけ降下させるように動作可能である、請求項１１〜１４のいずれか一項に記載の持続陽圧呼吸治療装置。
【請求項１６】
前記コントローラは、引き続き前記治療圧を維持するようにプログラムされている、請求項１５に記載の持続陽圧呼吸治療装置。
【請求項１７】
無呼吸状態に関しては、前記所定の割合は約１／４である、請求項１１〜１６のいずれか一項に記載の持続陽圧呼吸治療装置。
【請求項１８】
低呼吸状態に関しては、前記所定の割合は約１／２である、請求項１１〜１７のいずれか一項に記載の持続陽圧呼吸治療装置。
【請求項１９】
前記平均長期換気量もしくは前記平均短期換気量のどちらか、またはその両方が、無限インパルス応答（ＩＩＲ）フィルタを用いて計算される、請求項１１〜１８のいずれか一項に記載の持続陽圧呼吸治療装置。
【請求項２０】
前記センサはフローセンサを含む、請求項１２〜１９のいずれか一項に記載の持続陽圧呼吸治療装置。
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
Ａ）  基板上に第１層を用意する工程、前記第１層は、第１高分子バインダー内に分散された第１輻射線吸収化合物を含む、
Ｂ）  前記第１層上に第２層を用意する工程、前記第２層は、第２高分子バインダー内に分散された第２輻射線吸収化合物を含む、
Ｃ）  前記第１層及び第２層を乾燥させた後、前記乾燥された第１層及び第２層からの湿分の除去を抑制する条件下で少なくとも４時間、約４０℃〜約９０℃で、前記第１層及び第２層を熱処理する工程
を含んで成るポジ型画像形成性要素を提供する方法。
【請求項２】
前記熱処理中、前記画像形成性要素は、該前駆体からの湿分除去に対する効果的なバリヤを形成するために、不透水性シート材料内に包まれるか若しくは収容され、又は該画像形成性要素の前記熱処理が、相対湿度が少なくとも２５％に制御されている環境内で実施される請求項１に記載の方法。
【請求項３】
前記熱処理中、前記不透水性シート材料が、前記画像形成性要素の端部の周りでシールされている請求項２に記載の方法。
【請求項４】
前記第１高分子バインダーが、１種又は２種以上の(メタ)アクリルアミド、(メタ)アクリロニトリル、N置換型環状イミド、スチレン誘導体、及び、尿素基を含有するペンダント基を有するモノマーから誘導された反復単位を含む請求項１〜３のいずれか一項に記載の方法。
【請求項５】
Ｄ）  画像形成された領域と非画像形成領域とを提供するために、請求項１によって提供された画像形成性要素を像様露光する工程、そして、
Ｅ）  該画像形成された領域だけを除去するために、該像様露光された画像形成性要素と水性現像剤とを接触させる工程
をさらに含んで成る請求項１〜４のいずれか一項に記載の方法。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
支持体を有するインクジェットレシーバであって、
前記支持体上にはインク受容パックが提供され、該インク受容パックが、
０．５から１０ｇ／ｍ２という乾燥重量で、少なくとも７０重量パーセントがアルミナである第１の無機粒状物質、及び、バインダーを含んだ第１の受像層；並びに、
１０から４０ｇ／ｍ２という乾燥重量で、少なくとも６５パーセントがヒュームドシリカ、シリカゲル、又はその混合物である第２の無機粒状物質、及び、バインダーを含み、前記第１の層と前記支持体との間に配置された第２の層；
を含む、インクジェットレシーバ。
【請求項２】
前記第１の層の厚さが２から８μｍである、請求項１に記載のインクジェットレシーバ。
【請求項３】
前記インク受容パックが、前記第２の層と前記支持体との間に配置された第３の層を含み、前記第３の層が、バインダー、及び、１０から３０ｇ／ｍ２という乾燥重量で存在する第３の無機粒状物質又は無機粒状物質の混合物を含む、請求項１又は２に記載のインクジェットレシーバ。
【請求項４】
前記第３の無機粒状物質が、８５パーセント以上炭酸カルシウムを含む、請求項３に記載のインクジェットレシーバ。
【請求項５】
前記第１の無機粒状物質が、９５％以上ヒュームドアルミナを含む、請求項１乃至４のいずれか１項に記載のインクジェットレシーバ。
【請求項６】
前記第２の無機粒状物質が、８５％以上ヒュームドシリカ及び／又はシリカゲルを含む、請求項１乃至５のいずれか１項に記載のインクジェットレシーバ。
【請求項７】
前記インク受容パックと前記支持体との間に配置されたサビング層をさらに含み、前記サビング層が、０．５から３ｇ／ｍ２という全乾燥レイダウンで、ホウ酸、ホウ酸塩、又は、その誘導体若しくは塩類、及び、ポリマー物質を含む、請求項１乃至６のいずれか１項に記載のインクジェットレシーバ。
【請求項８】
請求項１乃至７のいずれか１項に記載のインクジェットレシーバを製造する方法であって、当該方法が、
第２の塗料を支持体上に被覆して、前記支持体上に第２の層を形成するステップであり、前記第２の塗料が、第２の無機粒状物質の水性分散液及びバインダーを含み、前記第２の無機粒状物質が１０から４０ｇ／ｍ２という量で被覆されており、前記第２の無機粒状物質のうち少なくとも６５パ―セントがヒュームドシリカ、シリカゲル、又はその混合物である、ステップ；並びに、
第１の塗料を前記第２の層の上に被覆して、前記第２の層の上に第１の層を形成するステップであり、前記第１の塗料が、第１の無機粒状物質の水性分散液及びバインダーを含み、前記第１の無機粒状物質が０．５から１０ｇ／ｍ２という量で被覆されており、前記第１の無機粒状物質のうち少なくとも７０パ―セントがアルミナである、ステップ；並びに、
被覆された前記支持体を乾燥するステップ；
を含み、
前記第１及び第２の塗料が、同時に又は順次に、前記支持体上に被覆される、方法。
【請求項９】
請求項８に記載のインクジェットレシーバを製造する方法であって、
前記支持体上に前記第２の層を被覆する前に、第３の塗料を前記支持体上に被覆して、前記支持体上に第３の層を形成するステップであり、前記第３の塗料が、第３の無機粒状物質の水性分散液及びバインダーを含むステップをさらに含み、
前記第２及び第３の塗料が、同時に又は順次に、前記支持体上に被覆される、方法。
【請求項１０】
デジタルデータ信号に応答する能力を持つインクジェットプリンタを提供するステップ；
前記プリンタにインクを提供するステップ；
前記プリンタに、請求項１乃至７のいずれか１項に記載のインクジェットレシーバを提供するステップ；及び、
所望の画像に対応する一組のデジタルデータ信号が前記プリンタに送信されるようにするステップ；
を含む、印刷方法。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
椎間板腔で使用するための薄いカッター刃であって、前記薄いカッター刃の少なくとも一部は形状記憶材料から形成され、前記薄いカッター刃に力が加えられていないときの形状を記憶しており、前記薄いカッター刃は、
近位腕部であって、前記近位腕部をカッターアセンブリに貼付するための第１カッター刃連結部を有する第１長尺部分を備え、かつ、更に少なくとも一つの刃先縁を備える刃腕部を有する近位腕部と、
前記近位腕部とは異なる遠位腕部であって、前記遠位腕部は第２長尺部分をカッターアセンブリに連結するための第２カッター刃連結部を有する前記第２長尺部分を備え、かつ、更に少なくとも一つの刃先縁を備える刃腕部を有する遠位腕部と、
前記遠位腕部と前記近位腕部との間に配置され、前記遠位腕部及び前記近位腕部の両方に貼付される保持フィルムの層と、
前記近位腕部の刃腕部と前記遠位腕部の刃腕部との間の連結部と
からなる薄いカッター刃。
【請求項２】
前記近位腕部は、更に前記近位腕部の外表面上、すなわち前記遠位腕部の反対側の表面上に少なくとも一つの刃先縁を備える刃腕部を有するとともに、
前記遠位腕部は、更に前記遠位腕部の外表面上、すなわち前記近位腕部の反対側の表面上に少なくとも一つの刃先縁を備える刃腕部を有する請求項１に記載の薄いカッター刃。
【請求項３】
前記第１カッター刃連結部が一つの溝である請求項２に記載の薄いカッター刃。
【請求項４】
前記第２カッター刃連結部が一つの溝である請求項２に記載の薄いカッター刃。
【請求項５】
前記各刃腕部の間の連結部が一つのリベットである請求項２に記載の薄いカッター刃。
【請求項６】
前記各刃腕部の間の連結部が少なくとも二つのリベットである請求項２に記載の薄いカッター刃。
【請求項７】
前記近位腕部と前記遠位腕部との間の連結部が前記保持フィルムを通過するとともに、前記保持フィルムが前記第１カッター刃連結部及び前記第２カッター刃連結部と並ぶ開口部を有する請求項１に記載の薄いカッター刃。
【請求項８】
前記外表面が、研磨された凹面を有する請求項２に記載の薄いカッター刃。
【請求項９】
前記遠位腕部が、前記遠位腕部の外表面上に第２刃先縁を有し、前記遠位腕部がカッターシャフトに連結されるように適合され、延長されたカッター刃が前記カッターシャフトの長軸の中心線の周りを回転するとき、前記遠位腕部は時計方向の回転で用いられる一つの刃先縁と、反時計方向の回転で用いられる一つの刃先縁とを有するようにした請求項２に記載の薄いカッター刃。
【請求項１０】
前記遠位腕部が、前記遠位腕部の外表面、すなわち前記近位腕部の反対側の表面から窪められた刃先縁を有する請求項１に記載の薄いカッター刃。
【請求項１１】
前記近位腕部が、前記近位腕部の外表面上に第２刃先縁を有し、前記近位腕部がカッターシャフトに連結されるように適合され、延長されたカッター刃が前記カッターシャフトの長軸の中心線の周りを回転するとき、前記近位腕部は時計方向の回転で用いられる少なくとも一つの刃先縁と、反時計方向の回転で用いられる少なくとも一つの刃先縁とを有するようにした請求項２に記載の薄いカッター刃。
【請求項１２】
前記近位腕部が、前記近位腕部の外表面、すなわち前記遠位腕部の反対側の表面から窪められた刃先縁を有する請求項１に記載の薄いカッター刃。
【請求項１３】
前記近位腕部の刃腕部と前記近位腕部の長尺部分との間の角度が、２５°乃至１５５°の範囲にある請求項２に記載の薄いカッター刃。
【請求項１４】
前記近位腕部の刃腕部と前記近位腕部の長尺部分との間の角度が、２５°乃至９０°の範囲にある請求項２に記載の薄いカッター刃。
【請求項１５】
前記近位腕部の刃腕部と前記近位腕部の長尺部分との間の角度が、９０°乃至１５５°の範囲にある請求項２に記載の薄いカッター刃。
【請求項１６】
請求項１に記載の薄いカッター刃であって、前記近位腕部の刃腕部と前記遠位腕部の刃腕部との間の連結部が前記近位腕部の刃腕部を前記遠位腕部の刃腕部に近接させて維持することにより、前記薄いカッター刃が椎間板腔において回転されるとき、近位腕部の刃腕部と遠位腕部の刃腕部との間に、椎間板腔の物質が通過する隙間を有さない薄いカッター刃。
【請求項１７】
前記近位腕部の刃腕部に沿った外表面から前記遠位腕部の刃腕部に沿った外表面までの厚さが０．８４ｍｍ乃至３．０ｍｍである請求項１に記載の薄いカッター刃。
【手続補正２】
【補正対象書類名】明細書
【補正対象項目名】発明の名称
【補正方法】変更
【補正の内容】
【発明の名称】椎間板腔形成のための、保持フィルムを有する薄いカッター刃
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
抗菌医療デバイスであって、
医療デバイス；および
該医療デバイスの表面上の少なくとも一部分に位置する複合抗菌剤
を含む、抗菌医療デバイス。
【請求項２】
請求項１に記載の抗菌医療デバイスであって、前記複合抗菌剤が、Ｎ−メチルグルカミン、Ｌ−アルギニン、ラウリル硫酸ナトリウム、β−シクロデキストリン、ヒドロキシプロピル−β−シクロデキストリン、エタノールアミン、トリエタノールアミン、ジエタノールアミン、安息香酸ナトリウム、メチル４−ヒドロキシ安息香酸ナトリウムおよびそれらの組み合わせからなる群より選択される少なくとも１つの接着増強剤を含む、抗菌医療デバイス。
【請求項３】
請求項１に記載の抗菌医療デバイスであって、前記複合抗菌剤が、抗生物質、消毒剤、殺菌剤およびそれらの組み合わせからなる群より選択される少なくとも１つの抗菌剤を含む、抗菌医療デバイス。
【請求項４】
請求項３に記載の抗菌医療デバイスであって、前記少なくとも１つの抗菌剤が、ヘキサクロロフェン、クロルヘキシジン、シクロヘキシジン、ヨウ素、ポビドンヨード、ｐ−クロロ−ｍ−キシレノール、トリクロサン、ニトロフラントイン、ニトロフラゾン、メテナミン、グルタルアルデヒド、ホルムアルデヒドおよびアルコールからなる群より選択される消毒剤である、抗菌医療デバイス。
【請求項５】
請求項１に記載の抗菌医療デバイスであって、前記医療デバイスが、ステープル、クリップ、薬物送達デバイス、ステント、ピン、ねじ、縫合糸、人工靭帯、人工腱、織メッシュ、ガーゼ、包帯および成長基質からなる群より選択される、抗菌医療デバイス。
【請求項６】
抗菌縫合糸であって、
少なくとも１種の繊維；および
該少なくとも１種の繊維の表面上の少なくとも一部分に位置する複合抗菌剤
を含む、抗菌縫合糸。
【請求項７】
請求項６に記載の抗菌縫合糸であって、該縫合糸が、単繊維縫合糸および多繊維縫合糸からなる群より選択される、抗菌縫合糸。
【請求項８】
請求項６に記載の抗菌縫合糸であって、前記少なくとも１種の繊維がポリオレフィンを含む、抗菌縫合糸。
【請求項９】
請求項６に記載の抗菌縫合糸であって、前記少なくとも１種の繊維が合成吸収性ポリマーから作製され、該合成吸収性ポリマーは、グリコリド、ラクチド、カプロラクトン、トリメチレンカーボネート、テトラメチレンカーボネート、ジオキサノンおよびそれらの組み合わせからなる群より選択される１種以上のモノマーに由来する、抗菌縫合糸。
【請求項１０】
請求項６に記載の抗菌縫合糸であって、前記少なくとも１種の繊維が被覆物をさらに含み、該被覆物は少なくとも１種の塗膜形成ポリマーを含む、抗菌縫合糸。
【請求項１１】
請求項１０に記載の抗菌縫合糸であって、前記被覆物が、脂肪酸塩および脂肪酸エステルの塩からなる群より選択される添加物をさらに含む、抗菌縫合糸。
【請求項１２】
請求項６に記載の抗菌縫合糸であって、前記複合抗菌剤が、抗生物質、消毒剤、殺菌剤およびそれらの組み合わせからなる群より選択される少なくとも１種の抗菌剤を含む、抗菌縫合糸。
【請求項１３】
請求項１２に記載の抗菌縫合糸であって、前記少なくとも１種の抗菌剤が、ヘキサクロロフェン、クロルヘキシジン、シクロヘキシジン、ヨウ素、ポビドンヨード、ｐ−クロロ−ｍ−キシレノール、トリクロサン、ニトロフラントイン、ニトロフラゾン、メテナミン、グルタルアルデヒド、ホルムアルデヒドおよびアルコールからなる群より選択される消毒剤である、抗菌縫合糸。
【請求項１４】
請求項６に記載の抗菌縫合糸であって、前記複合抗菌剤が、Ｎ−メチルグルカミン、Ｌ−アルギニン、ラウリル硫酸ナトリウム、β−シクロデキストリン、ヒドロキシプロピル−β−シクロデキストリン、エタノールアミン、トリエタノールアミン、ジエタノールアミン、安息香酸ナトリウム、メチル４−ヒドロキシ安息香酸ナトリウムおよびそれらの組み合わせからなる群より選択される少なくとも１種の接着増強剤を含む、抗菌縫合糸。
【請求項１５】
方法であって、
少なくとも１種の繊維を有する縫合糸を提供する工程；
少なくとも１種の抗菌剤、少なくとも１種の接着増強剤および少なくとも１種の溶媒を含む抗菌溶液を該少なくとも１種の繊維に塗布する工程；および
該縫合糸の表面上の少なくとも一部分に複合抗菌剤を残しながら該少なくとも１種の溶媒を除去する工程
を包含する、方法。
【請求項１６】
請求項１５に記載の方法であって、前記抗菌溶液を塗布する工程が、抗生物質、消毒剤、殺菌剤およびそれらの組み合わせからなる群より選択される少なくとも１種の抗菌剤を含む抗菌溶液を利用する、方法。
【請求項１７】
請求項１５に記載の方法であって、前記抗菌溶液を塗布する工程が、前記少なくとも１種の抗菌剤としてトリクロサンを含む抗菌溶液を利用する、方法。
【請求項１８】
請求項１５に記載の方法であって、前記抗菌溶液を塗布する工程が、Ｎ−メチルグルカミン、Ｌ−アルギニン、ラウリル硫酸ナトリウム、β−シクロデキストリン、ヒドロキシプロピル−β−シクロデキストリン、エタノールアミン、トリエタノールアミン、ジエタノールアミン、安息香酸ナトリウム、メチル４−ヒドロキシ安息香酸ナトリウムおよびそれらの組み合わせからなる群より選択される少なくとも１種の接着増強剤を有する抗菌溶液を利用する、方法。
【請求項１９】
請求項１５に記載の方法であって、前記抗菌溶液を塗布する工程が、前記少なくとも１種の接着増強剤としてエタノールアミンを有する抗菌溶液を利用する、方法。
【請求項２０】
請求項１５に記載の方法であって、前記抗菌溶液を塗布する工程が、前記少なくとも１種の接着増強剤としてシクロデキストリンを有する抗菌溶液を利用する、方法。
【請求項２１】
請求項１５に記載の方法であって、前記抗菌溶液を塗布する工程が、塩化メチレン、クロロホルム、酢酸エチル、酢酸メチル、Ｎ−メチル２−ピロリドン、２−ピロリドン、プロピレングリコール、テトラヒドロフラン（ＴＨＦ）、アセトン、オレイン酸、メチルエチルケトン、水およびそれらの混合物からなる群より選択される少なくとも１種の溶媒を有する抗菌溶液を利用する、方法。
【請求項２２】
請求項１５に記載の方法であって、前記抗菌溶液を塗布する工程が、前記少なくとも１種の抗菌剤としてトリクロサン、前記少なくとも１種の接着増強剤としてエタノールアミン、および前記少なくとも１種の溶媒として塩化メチレンを含む抗菌溶液を塗布する工程を包含する、方法。
【請求項２３】
請求項１５に記載の方法であって、前記抗菌溶液を塗布する工程が、前記少なくとも１種の抗菌剤としてトリクロサン、前記少なくとも１種の接着増強剤としてシクロデキストリン、および前記少なくとも１種の溶媒として塩化メチレンを含む抗菌溶液を塗布する工程を包含する、方法。
【請求項２４】
創傷を縫合するための請求項６〜１４のいずれか１項に記載の抗菌縫合糸であって、該縫合糸は針付き縫合糸であり、該針付き縫合糸を寄せられた創傷組織に通して創傷閉鎖を作るためのものである、抗菌縫合糸。
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
基板への生体分子の堆積のための分子プラズマ方法であって、
大気条件の下で、イオン化された分子プラズマを生成するために十分な電圧源に接続された伝導点から排出された溶液または懸濁液内の生体分子から、イオン化された分子プラズマコロナを生成することであって、該溶液または懸濁液内の生体分子は荷電されているが、まだ損なわれていない、ことと、
該伝導点とは反対の誘導電位において基板を収容する排気されたチャンバのオリフィスを通って該生成されたプラズマを導くことと
を包含し、
該生体分子は、物理的特性、機能的特性、または化学的特性を有意に変更することなしに、該基板に堆積される、方法。
【請求項２】
前記懸濁液は、コロイド状である、請求項１に記載の方法。
【請求項３】
前記溶液は、水、アルコール、またはそれらの混合物である、請求項１に記載の方法。
【請求項４】
前記生成されたコロナ放電プラズマは、正の荷電プラズマまたは負の荷電プラズマを含む、請求項１に記載の方法。
【請求項５】
前記生体分子は、アミノ酸、核酸塩基、またはポリペプチドである、請求項１に記載の方法。
【請求項６】
前記生体分子は、炭素、酸化銅、アミノ酸、ＲＮＡ塩基またはＤＮＡ塩基、カタラーゼ、およびそれらの混合物から成る群から選択される、請求項１に記載の方法。
【請求項７】
前記生体分子は、グリシン、アラニン、バリン、ロイシン、アルギニン、またはそれらの混合物のうちの少なくとも１つである、請求項１に記載の方法。
【請求項８】
前記生体分子は、グアニン、アデニン、チミン、シトシン、ウラシル、またはそれらの混合物のうちの少なくとも１つである、請求項１に記載の方法。
【請求項９】
前記コロイド状懸濁液は、約１００オングストローム〜約１０，０００オングストロームのサイズ範囲を有する粒子から構成される、請求項２に記載の方法。
【請求項１０】
前記基板は、金属、セラミック、またはプラスチックである、請求項１に記載の方法。
【請求項１１】
基板への生体分子の堆積のための分子プラズマ方法であって、
損なわれていない荷電された生体分子を含むプラズマを生成するために十分な電圧において、伝導先端から、生体分子の溶液または懸濁液を部分真空中に噴霧することと、
接地に接続されているか、または該伝導先端の電圧とは反対の電圧において保持されている基板を収容する排気されたチャンバの中にオリフィスを通って該プラズマを導くことと
を包含し、該生体分子は、該基板に堆積する、方法。
【請求項１２】
前記生体分子は、炭素、酸化銅、アミノ酸、ＲＮＡ塩基またはＤＮＡ塩基、カタラーゼ、およびそれらの混合物から成る群から選択される、請求項１１に記載の方法。
【請求項１３】
前記生体分子は、グリシン、アラニン、バリン、ロイシン、アルギニン、またはそれらの混合物のうちの少なくとも１つである、請求項１１に記載の方法。
【請求項１４】
前記生体分子は、グアニン、アデニン、チミン、シトシン、ウラシル、またはそれらの混合物のうちの少なくとも１つである、請求項１１に記載の方法。
【請求項１５】
前記懸濁液は、約１００オングストローム〜約１０，０００オングストロームのサイズ範囲を有する粒子から構成されるコロイド状懸濁液である、請求項１１に記載の方法。
【請求項１６】
前記溶液または前記懸濁液は、水、アルコール、グリコール、またはそれらの組み合わせを含む、請求項１１に記載の方法。
【請求項１７】
前記チャンバ内の真空は、１００ｍトル未満である、請求項１１に記載の方法。
【請求項１８】
前記伝導先端に印加される電圧は、１５，０００ボルトの範囲内の正または負の電圧である、請求項１１に記載の方法。
【請求項１９】
前記液は、１００ｍトル〜大気圧までの範囲内で真空の中に噴霧される、請求項１１に記載の方法。
【請求項２０】
前記生体分子は、物理的特性、機能的特性、または化学的特性を有意に変更することなしに、該基板に堆積される、請求項１１に記載の方法。